(57)【特許請求の範囲】
【請求項１】
座席本体（６）の背もたれ部（７）にヘッドレスト（９）が支持脚（１０）を介して取り付けられた幼児座席（１１）に装着される髪巻き込み防止クッションであって、
背もたれ部（７）の上部から支持脚（１０）に亘ってその前面側を覆うクッション本体（３）と、クッション本体（３）から突出されていてクッション本体（３）を背もたれ部（７）及び支持脚（１０）の前面側に保持すべく支持脚（１０）又は背もたれ部（７）に装着される装着部材（４）とを備えていることを特徴とする髪巻き込み防止クッション。
【請求項２】
前記装着部材（４）は、クッション本体（３）から突出された左右一対の連結帯体（３７，３８）を有し、左右の連結帯体（３７，３８）の突出端側が背もたれ部（７）の背面側に着脱自在に連結可能とされ又は左右の連結帯体（３７，３８）の突出端側同士が支持脚（１０）の背面側で着脱自在に連結可能とされていることを特徴とする請求項１に記載の髪巻き込み防止クッション。
【請求項３】
前記左右の連結帯体（３７，３８）の突出端側に、背もたれ部（７）の上部に後方突設されたヘッドレスト固定用の固定具（２８）に外嵌して引っ掛けることが可能な長孔（４３，４４）が設けられていることを特徴とする請求項２に記載の髪巻き込み防止クッション。
【請求項４】
前記左右連結帯体（３７，３８）のうちの一方の連結帯体の突出端側に、ボタン（４５）が設けられると共に該ボタン（４５）を挿入して係止することが可能な長孔（４３）が設けられ、他方の連結帯体の突出端側に、一方の連結帯体（３７）の突出端側を挿通可能な長孔（４４）が設けられていることを特徴とする請求項２に記載の髪巻き込み防止クッション。
【請求項５】
前記左右連結帯体（３７，３８）の突出端側に互いに接着される第１面ファスナー（５３）と第２面ファスナー（５４）とがそれぞれ設けられていることを特徴とする請求項２に記載の髪巻き込み防止クッション。
【請求項６】
前記装着部材（４）は、前記左右一対の連結帯体（３７，３８）の他に、クッション本
体（３）から左右連結帯体（３７，３８）の中間位置に突出されて支持脚（１０）の開口窓（１５）からその背面側に挿通される中間連結体（３９）を有し、中間連結体（３９）の突出端側が背もたれ部（７）の背面側に着脱自在に連結可能とされ又は左右の連結帯体（３７，３８）うちの少なくとも一方の連結帯体の突出端側に連結可能とされていることを特徴とする請求項２〜５のいずれかに記載の髪巻き込み防止クッション。
【請求項７】
前記中間連結体（３９）の突出端側に、背もたれ部（７）の上部に後方突設された固定具（２８）に外嵌して引っ掛けるための長孔（４７）が設けられていることを特徴とする請求項６に記載の髪巻き込み防止クッション。
【請求項８】
前記左右連結帯体（３７，３８）のうちの一方の連結帯体の突出端側に第３面ファスナー（５９）が設けられ、前記中間連結体（３９）の突出端側に、前記第３面ファスナー（５９）に着脱自在に接着される第４面ファスナー（６０）が設けられていることを特徴とする請求項６に記載の髪巻き込み防止クッション。
【発明の詳細な説明】
【技術分野】
【０００１】
本発明は、幼児座席に装着される髪巻き込み防止クッションに関するものである。
【背景技術】
【０００２】
従来、例えば自転車のハンドル部分に取り付けられる自転車用幼児座席には、座部と背もたれ部とを有する座席本体を備え、座席本体の背もたれ部にヘッドレストが支持脚を介して取り付けられたものがある（例えば引用文献１，２）。
【先行技術文献】
【特許文献】
【０００３】
【特許文献１】特開２００７−１２５９９０号公報
【特許文献２】特開２００５−１５３５７１号公報
【発明の概要】
【発明が解決しようとする課題】
【０００４】
しかし、従来の場合、幼児を座席本体に乗せた場合に、幼児の髪が背もたれ部とヘッドレストの支持脚との間に髪を巻き込むおそれがあった。
本発明は上記問題点に鑑み、幼児座席に装着して幼児の髪を背もたれ部と支持脚との間に巻き込むのを防止できる髪巻き込み防止クッションを提供することを目的としている。
【課題を解決するための手段】
【０００５】
本発明における課題解決のための具体的手段は、次の通りである。
この技術的課題を解決する本発明の技術的手段は、座席本体６の背もたれ部７にヘッドレスト９が支持脚１０を介して取り付けられた幼児座席１１に装着される髪巻き込み防止クッションであって、
背もたれ部７の上部から支持脚１０に亘ってその前面側を覆うクッション本体３と、クッション本体３から突出されていてクッション本体３を背もたれ部７及び支持脚１０の前面側に保持すべく支持脚１０又は背もたれ部７に装着される装着部材４とを備えている点にある。
【０００６】
また、本発明の他の技術的手段は、前記装着部材４は、クッション本体３から突出された左右一対の連結帯体３７，３８を有し、左右の連結帯体３７，３８の突出端側が背もたれ部７の背面側に着脱自在に連結可能とされ又は左右の連結帯体３７，３８の突出端側同士が支持脚１０の背面側で着脱自在に連結可能とされている点にある。
また、本発明の他の技術的手段は、前記左右の連結帯体３７，３８の突出端側に、背もたれ部７の上部に後方突設されたヘッドレスト固定用の固定具２８に外嵌して引っ掛けることが可能な長孔４３，４４が設けられている点にある。
【０００７】
また、本発明の他の技術的手段は、前記左右連結帯体３７，３８のうちの一方の連結帯体の突出端側に、ボタン４５が設けられると共に該ボタン４５を挿入して係止することが可能な長孔４３が設けられ、他方の連結帯体の突出端側に、一方の連結帯体３７の突出端側を挿通可能な長孔４４が設けられている点にある。
また、本発明の他の技術的手段は、前記左右連結帯体３７，３８の突出端側に互いに接着される第１面ファスナー５３と第２面ファスナー５４とがそれぞれ設けられている点にある。
【０００８】
また、本発明の他の技術的手段は、前記装着部材４は、前記左右一対の連結帯体３７，３８の他に、クッション本体３から左右連結帯体３７，３８の中間位置に突出されて支持脚１０の開口窓１５からその背面側に挿通される中間連結体３９を有し、中間連結体３９の突出端側が背もたれ部７の背面側に着脱自在に連結可能とされ又は左右の連結帯体３７，３８うちの少なくとも一方の連結帯体の突出端側に連結可能とされている点にある。
【０００９】
また、本発明の他の技術的手段は、前記中間連結体３９の突出端側に、背もたれ部７の上部に後方突設された固定具２８に外嵌して引っ掛けるための長孔４７が設けられている点にある。
また、本発明の他の技術的手段は、前記左右連結帯体３７，３８のうちの一方の連結帯
体の突出端側に第３面ファスナー５９が設けられ、前記中間連結体３９の突出端側に、前記第３面ファスナー５９に着脱自在に接着される第４面ファスナー６０が設けられている点にある。
【発明の効果】
【００１０】
本発明によれば、髪巻き込み防止クッションを幼児座席に装着して、幼児を座席本体に乗せると、幼児の首等がクッション本体に前側から当たり、幼児の首等をクッション本体でソフトに受けることができる。しかも、クッション本体が背もたれ部の上部から支持脚に亘ってその前面側を覆うため、幼児の髪が背もたれ部とヘッドレストの支持脚との間に巻き込まれるのを、クッション本体で確実に防止することができる。
【図面の簡単な説明】
【００１１】
【図１】本発明の第１実施形態を示す髪巻き込み防止クッションの正面図である。
【図２】同髪巻き込み防止クッションの背面図である。
【図３】同髪巻き込み防止クッションを幼児座席に装着した状態の斜視図である。
【図４】同髪巻き込み防止クッションを幼児座席に装着した状態の背面図である。
【図５】同髪巻き込み防止クッションの他の装着状態を示す背面図である。
【図６】同髪巻き込み防止クッションの他の装着状態を示す背面図である。
【図７】幼児座席の背もたれ部の上部及びヘッドレストの正面図である。
【図８】幼児座席の背もたれ部の上部及びヘッドレストの背面図である。
【図９】幼児座席の背もたれ部の上部及びヘッドレストの側面図である。
【図１０】図８のＡ−Ａ線断面図である。
【図１１】図９のＢ−Ｂ線断面図である。
【図１２】第２実施形態を示す髪巻き込み防止クッションの斜視図である。
【図１３】第３実施形態を示す髪巻き込み防止クッションの斜視図である。
【図１４】第４実施形態を示す髪巻き込み防止クッションの斜視図である。
【図１５】第５実施形態を示す髪巻き込み防止クッションの正面図である。
【図１６】同髪巻き込み防止クッションの背面図である。
【図１７】同髪巻き込み防止クッションの装着方法を示す斜視図である。
【図１８】第６実施形態を示す髪巻き込み防止クッションの正面図である。
【図１９】同髪巻き込み防止クッションの背面図である。
【発明を実施するための形態】
【００１２】
以下、本発明の実施の形態を図面に基づいて説明する。
図１〜図６は本発明の第１実施形態を示している。図１〜図６において、髪巻き込み防止クッション１は、座席本体６の背もたれ部７にヘッドレスト９が支持脚１０を介して取り付けられた幼児座席１１に装着されるクッションであって、背もたれ部７の上部から支持脚１０に亘ってその前面側を覆うクッション本体３と、クッション本体３から突出されていてクッション本体３を背もたれ部７及び支持脚１０の前面側に保持すべく支持脚１０又は背もたれ部７に装着される装着部材４とを備えている。
【００１３】
ここで、髪巻き込み防止クッション１が装着される幼児座席１１の一例を簡単に説明すると、図３において、幼児座席１１は、自転車のハンドルバーの左右立ち上り部間に配置されて自転車のハンドルステム等に取り付けられるもので、座部１３と背もたれ部７とを有する座席本体６を備え、座席本体６の背もたれ部７の上方にヘッドレスト９が高さ調整自在に設けられている。
【００１４】
そして、図７〜図１１に示すように、ヘッドレスト９に開口窓１５を有する支持脚１０が下方突設され、背もたれ部７の上部に、支持脚１０を上下移動自在に嵌合保持する保持筒部１７が設けられ、保持筒部１７の後壁に左右一対のスリット１８を設けることにより、保持筒部１７の後壁のスリット１８間に弾性支持片１９が形成されている。
支持脚１０に長孔２１が上下方向に設けられると共に支持脚１０の背面側に左右一対の凹凸列２２が上下方向に設けられ、弾性支持片１９に凹凸列２２に係脱自在に係合する左右一対の係合部２３が設けられている。保持筒部１７の前壁に弾性支持片１９に対向して開口孔２５が設けられ、開口孔２５を塞ぐ蓋体２６が設けられている。
【００１５】
係合部２３が凹凸列２２に係合した状態にロックすべく弾性支持片１９を支持脚１０に向けて締め付けるヘッドレスト固定用の固定具２８が設けられている。固定具２８は、蓋体２６、弾性支持片１９及び長孔２１を介して支持脚１０に挿通されるボルト２９と締付ナット３０とを有し、固定具２８の締付ナット３０側が背もたれ部７の上部から後方に突出されている。
【００１６】
従って、ヘッドレスト９を上下調整する場合、固定具２８の締付ナット３０を緩めてヘッドレスト９乃至支持脚１０を保持筒部１７に対して上下移動させた後に締付ナット３０を締め付けることにより、ヘッドレスト９を簡単に上下調整して固定することができるようになっている。
図１及び図２において、クッション本体３は、円形状に形成され、柔軟性及びクッション性を有するスポンジ等を内蔵していて布等の柔軟な生地で覆われており、その前面側には人の顔等のキャラクターが施されて幼児の興味を起こさせるようになっている。
【００１７】
前記装着部材４は、クッション本体３から突出された左右一対の連結帯体３７，３８と、クッション本体３から左右連結帯体３７，３８の中間位置に突出された中間連結体３９とを有し、左右の連結帯体３７，３８の基部と中間連結体３９の基部とは基部連結体４１により連結されている。左右の連結帯体３７，３８、中間連結体３９及び基部連結体４１は布等により一体に形成され、基部連結体４１は左右方向に長く形成されて、クッション本体３の裏面側の上下方向中央部に縫着等により取り付けられている。
【００１８】
左右連結帯体３７，３８は、クッション本体３の裏面側の左右両側から上方に突出され、左右の連結帯体３７，３８の突出端側に長孔４３，４４がそれぞれ設けられている。これら長孔４３，４４は切り込みにより左右連結帯体３７，３８の幅方向中央に位置して各連結帯体３７，３８の長手方向に形成されている。
左右連結帯体３７，３８のうちの一方の連結帯体３７の突出端側に、ボタン４５が設けられ、ボタン４５は一方の連結帯体３７の前面側であって長孔４３よりも基部側に配置されている。一方の連結帯体３７の長孔４３は、固定具２８に外嵌して引っ掛けることが可能であると共にボタン４５を挿入して係止することが可能に構成されている。
【００１９】
また、他方の連結帯体３８の長孔４４は、固定具２８に外嵌して引っ掛けることが可能であると共に一方の連結帯体３７の突出端側を挿通可能に構成されている。
而して、図４及び図５に示すように、左右の連結帯体３７，３８を、支持脚１０の左右外側を通して支持脚１０の背面側に取り出し、支持脚１０の背面側で、左右の連結帯体３７，３８の突出端側の長孔４３，４４を固定具２８に外嵌して引っ掛けることにより、左右の連結帯体３７，３８の突出端側が背もたれ部７（又は支持脚１０）の背面側に着脱自在に連結可能とされている。
【００２０】
また、図６に示すように、左右の連結帯体３７，３８を、支持脚１０の左右外側を通して支持脚１０の背面側に取り出し、支持脚１０の背面側で、一方の連結帯体３７の突出端側を、他方の連結帯体３８の長孔４４に挿通して折り返しその折り返した突出端側の長孔４３にボタン４５を挿入して係止することにより、左右の連結帯体３７，３８の突出端側同士が支持脚１０（又は背もたれ部７）の背面側で着脱自在に連結可能とされている。
【００２１】
中間連結体３９は、左右連結帯体３７，３８よりも左右幅の大きな帯状に形成され、クッション本体３の裏面側から左右連結帯体３７，３８の中間位置に上方突出されており、支持脚１０の開口窓１５からその背面側に挿通されるようになっている。
前記中間連結体３９の突出端側に長孔４７が突出方向に間隔をおいて複数（図例では２つ）設けられている。これら長孔４７は中間連結体３９に切り込みにより幅方向に形成され、背もたれ部７の上部に後方突設された固定具２８に外嵌して引っ掛けることが可能になっている。
【００２２】
而して、図４に示すように、中間連結体３９を、支持脚１０の開口窓１５を通して支持脚１０の背面側に取り出し、支持脚１０の背面側で、中間連結体３９の突出端側のいずれかの長孔４７を固定具２８に外嵌して引っ掛けることにより、中間連結体３９の突出端側が背もたれ部７（又は支持脚１０）の背面側に着脱自在に連結可能とされている。
上記第１実施形態によれば、髪巻き込み防止クッション１を幼児座席１１に装着する場合、クッション本体３を背もたれ部７の上部から支持脚１０に亘ってその前面側を覆うように配置し、この状態で、図４に示すように、左右の連結帯体３７，３８を、支持脚１０の左右外側を通して支持脚１０の背面側に取り出し、支持脚１０の背面側で、左右の連結帯体３７，３８の突出端側の長孔４３，４４を固定具２８に外嵌して引っ掛ける。また、中間連結体３９を、支持脚１０の開口窓１５を通して支持脚１０の背面側に取り出し、支持脚１０の背面側で、中間連結体３９の突出端側のいずれかの長孔４７を固定具２８に外嵌して引っ掛ければよい。なお、このとき、図４に示すように、中間連結体３９の突出端側を左右の連結帯体３７，３８の突出端側よりも背面側に配置しておくことにより、その後にヘッドレスト９を高さ調整する際に、中間連結体３９のみを固定具２８から取り外せば、ヘッドレスト９を高さ調整することが可能になり、ヘッドレスト９を高さ調整する際に左右の連結帯体３７，３８を固定具２８から取り外す手間が省けて便利である。
【００２３】
これにより、中間連結体３９の突出端側が背もたれ部７の背面側に着脱自在に連結されると共に、左右の連結帯体３７，３８の突出端側が背もたれ部７の背面側に着脱自在に連結されて、装着部材４（左右の連結帯体３７，３８及び中間連結体３９）が支持脚１０又は背もたれ部７に装着され、クッション本体３が背もたれ部７及び支持脚１０の前面側に保持される。
【００２４】
また、図５に示すように、支持脚１０に開口窓１５が設けられていない場合等には、髪巻き込み防止クッション１を幼児座席１１に装着するには、クッション本体３を背もたれ部７の上部から支持脚１０に亘ってその前面側を覆うように配置し、この状態で、中間連結体３９を使用せずにクッション本体３側に残したままにし、左右の連結帯体３７，３８を、支持脚１０の左右外側を通して支持脚１０の背面側に取り出し、支持脚１０の背面側で、左右の連結帯体３７，３８の突出端側の長孔４３，４４を固定具２８に外嵌して引っ掛ければよい。
【００２５】
これにより、左右の連結帯体３７，３８の突出端側が背もたれ部７の背面側に着脱自在に連結されて、装着部材４（左右の連結帯体３７，３８）が支持脚１０又は背もたれ部７に装着され、クッション本体３が背もたれ部７及び支持脚１０の前面側に保持される。
また、図６に示すように、ヘッドレスト固定用の固定具２８が背もたれ部７の上部に後方突設されていないような場合等には、髪巻き込み防止クッション１を幼児座席１１に装着するには、クッション本体３を背もたれ部７の上部から支持脚１０に亘ってその前面側を覆うように配置し、この状態で、中間連結体３９を使用せずにクッション本体３側に残したままにし、左右の連結帯体３７，３８を、支持脚１０の左右外側を通して支持脚１０の背面側に取り出し、支持脚１０の背面側で、一方の連結帯体３７の突出端側を、他方の連結帯体３８の長孔４４に挿通して折り返しその折り返した突出端側の長孔４３にボタン４５を挿入して係止すればよい。
【００２６】
これにより、左右の連結帯体３７，３８の突出端側同士が支持脚１０の背面側で着脱自在に連結されて、装着部材４（左右の連結帯体３７，３８）が支持脚１０又は背もたれ部７に装着され、クッション本体３が背もたれ部７及び支持脚１０の前面側に保持される。
従って、図４〜図６に示すように、装着部材４を支持脚１０又は背もたれ部７に装着して、クッション本体３を背もたれ部７及び支持脚１０の前面側に保持しておけば、幼児を座席本体６に乗せると、幼児の首等がクッション本体３に前側から当たり、幼児の首等をクッション本体３でソフトに受けることができる。しかも、クッション本体３が背もたれ部７の上部から支持脚１０に亘ってその前面側を覆うため、幼児の髪が背もたれ部７とヘッドレスト９の支持脚１０との間に巻き込むのを、クッション本体３で確実に防止することができる。
【００２７】
図１２は第２実施形態を示し、中間連結体３９の基部にゴム等の弾性材４９を設け、中間連結体３９を弾性材４９の伸縮によりクッション本体３から延長突出できるようにし、長孔４７を中間連結体３９の突出端側に１つだけ設けるようにしたものである。その他の点は前記第１実施形態の場合と同様の構成である。
図１３は第３実施形態を示し、左右の連結帯体３７，３８と連結帯体３７，３８間の基部連結体４１とを一体に有する左右方向に長い１本の帯状部材５１が具備され、帯状部材
５１の基部連結体４１が縫着等によりクッション本体３の裏面側に取り付けられている。帯状部材５１の基部連結体４１から中間連結体３９が上方に突設されている。
【００２８】
一方の連結帯体３７の突出端側の裏面側に第１面ファスナー５３が縫着等により設けられ、他方の連結帯体３８の突出端側の表面側に、第１面ファスナー５３に着脱自在に接着される第２面ファスナー５４が縫着等により設けられている。
而して、左右の連結帯体３７，３８を、支持脚１０の左右外側を通して支持脚１０の背面側に取り出し、支持脚１０の背面側で、左右の連結帯体３７，３８の突出端側同士を第１面ファスナー５３と第２面ファスナー５４とを介して接着することにより、左右の連結帯体３７，３８の突出端側同士が支持脚１０（又は背もたれ部７）の背面側で着脱自在に連結可能とされている。
【００２９】
第１実施形態の場合と同様に、中間連結体３９の突出端側に、背もたれ部７の上部に後方に突設された固定具２８に外嵌して引っ掛けることが可能な長孔４７が、突出方向に間隔をおいて複数（図例では２つ）設けられており、中間連結体３９を、支持脚１０の開口窓１５を通して支持脚１０の背面側に取り出し、支持脚１０の背面側で、中間連結体３９の突出端側のいずれかの長孔４７を固定具２８に外嵌して引っ掛けることにより、中間連結体３９の突出端側が背もたれ部７（又は支持脚１０）の背面側に着脱自在に連結可能とされている。その他の点は前記第１実施形態の場合と同様の構成である。
【００３０】
この第３実施形態の場合、装着部材４は左右の連結帯体３７，３８と中間連結体３９とで構成され、左右の連結帯体３７，３８の突出端側同士を支持脚１０の背面側で第１面ファスナー５３と第２面ファスナー５４とを利用して着脱自在に連結し、中間連結体３９の突出端側を背もたれ部７の背面側に長孔４７を利用して着脱自在に連結することによって、装着部材４（左右の連結帯体３７，３８及び中間連結体３９）が支持脚１０又は背もたれ部７に装着され、左右の連結帯体３７，３８と中間連結体３９とでクッション本体３を背もたれ部７及び支持脚１０の前面側に保持することができる。
【００３１】
図１４は第４実施形態を示し、クッション本体３の背面に、左右一対のコの字状の保持片５６が突設され、左右の連結帯体３７，３８と連結帯体３７，３８間の基部連結体４１とを一体に有する左右方向に長い１本の帯状部材５１が具備され、この帯状部材５１が左右の保持片５６に左右方向に移動自在に挿通保持されている。
第３実施形態の場合と同様に、一方の連結帯体３７の突出端側の裏面側に第１面ファスナー５３が縫着等により設けられ、他方の連結帯体３８の突出端側の表面側に、第１面ファスナー５３に着脱自在に接着される第２面ファスナー５４が縫着等により設けられている。また、中間連結体３９は省略されている。
【００３２】
この第４実施形態の場合、装着部材４は左右の連結帯体３７，３８で構成され、左右の連結帯体３７，３８を、支持脚１０の左右外側を通して支持脚１０の背面側に取り出し、支持脚１０の背面側で、左右の連結帯体３７，３８の突出端側同士を第１面ファスナー５３と第２面ファスナー５４とを介して接着することにより、左右の連結帯体３７，３８の突出端側同士が支持脚１０（又は背もたれ部７）の背面側で着脱自在に連結可能とされ、左右の連結帯体３７，３８の突出端側同士を支持脚１０の背面側で着脱自在に連結することによって、装着部材４（左右の連結帯体３７，３８）が支持脚１０又は背もたれ部７に装着され、クッション本体３を背もたれ部７及び支持脚１０の前面側に保持することができる。
【００３３】
図１５〜図１７は第５実施形態を示し、クッション本体３は略長方形状に形成され、その前面側には熊等の動物の頭から脚までに亘るキャラクターが施されて幼児の興味を起こさせるようになっている。
クッション本体３の上下方向の中央部にその左右両端から左右一対の連結帯体３７，３８がそれぞれ左右方向外方に突出されている。左右連結帯体３７，３８のうちの一方の連結帯体３７の突出端側の表面側に第１面ファスナー５３が縫着等により設けられ、他方の連結帯体３８の裏面側に第１面ファスナー５３に着脱自在に接着される第２面ファスナー５４が縫着等により設けられている。また、他方の連結帯体３８の突出端側の表面側に第３面ファスナー５９が縫着等により設けられている。
【００３４】
クッション本体３の裏面側の中央部に中間連結体３９が上方に向けて突設されている。中間連結体３９の下端部が縫着等によりクッション本体３の裏面側に固着され、中間連結体３９の上方突出端側の裏面側に、第３面ファスナー５９に着脱自在に接着される第４面ファスナー６０が縫着等により設けられている。
而して、装着部材４は左右の連結帯体３７，３８と中間連結体３９とで構成され、左右の連結帯体３７，３８を、支持脚１０の左右外側を通して支持脚１０の背面側に取り出し、支持脚１０の背面側で、左右の連結帯体３７，３８の突出端側同士を第１面ファスナー５３と第２面ファスナー５４とを介して接着することにより、左右の連結帯体３７，３８の突出端側同士が支持脚１０（又は背もたれ部７）の背面側で着脱自在に連結可能とされている。また、中間連結体３９を、支持脚１０の開口窓１５を通して支持脚１０の背面側に取り出し、中間連結体３９の突出端側を第３面ファスナー５９と第４面ファスナー６０とを介して他方の連結帯体３８の突出端側に接着することにより、中間連結体３９の突出端側が他方の連結帯体３８の突出端側に連結可能とされている。
【００３５】
上記第５実施形態によれば、髪巻き込み防止クッション１を幼児座席１１に装着する場合、クッション本体３を背もたれ部７の上部から支持脚１０に亘ってその前面側を覆うように配置し、この状態で、左右の連結帯体３７，３８を、支持脚１０の左右外側を通して支持脚１０の背面側に取り出し、支持脚１０の背面側で、左右の連結帯体３７，３８の突出端側同士を第１面ファスナー５３と第２面ファスナー５４とを利用して着脱自在に接着する。また、中間連結体３９を、支持脚１０の開口窓１５を通して支持脚１０の背面側に取り出し、支持脚１０の背面側で、中間連結体３９の突出端側を第３面ファスナー５９と第４面ファスナー６０とを利用して他方の連結帯体３８の突出端側に接着すればよい。
【００３６】
これにより、左右の連結帯体３７，３８の突出端側同士が支持脚１０（又は背もたれ部７）の背面側で着脱自在に連結されると共に、中間連結体３９の突出端側が一方の連結帯体３７の突出端側に着脱自在に接着されて、装着部材４（左右の連結帯体３７，３８及び中間連結体３９）が支持脚１０又は背もたれ部７に装着され、クッション本体３が背もたれ部７及び支持脚１０の前面側に保持される。
【００３７】
従って、幼児を座席本体６に乗せると、幼児の首等がクッション本体３に前側から当たり、幼児の首等をクッション本体３でソフトに受けることができる。しかも、クッション本体３が背もたれ部７の上部から支持脚１０に亘ってその前面側を覆うため、幼児の髪が背もたれ部７とヘッドレスト９の支持脚１０との間に巻き込むのを、クッション本体３で確実に防止することができる。
【００３８】
図１８及び図１９は第６実施形態を示し、クッション本体３は略長方形状に形成され、その前面側には幼児等の人の頭から脚までに亘るキャラクターが施されて幼児の興味を起こさせるようになっている。その他の点は前記第５実施形態の場合と同様の構成であり、第５実施形態の場合と同様の作用効果を奏する。
なお、髪巻き込み防止クッション１が装着される幼児座席１１は、自転車に取り付けられる自転車用幼児座席に限定されず、幼児が座るための幼児座席であればよい。また、幼児座席１１は、ヘッドレスト９が支持脚１０を介して上方突出するように取り付けられていればよく、ヘッドレスト９が座席本体６の背もたれ部７に上下調整自在に取り付けられていなくてもよい。
【００３９】
また、第５実施形態及び第６実施形態では、一方の連結帯体３７の突出端側の表面側に第１面ファスナー５３が設けられ、他方の連結帯体３８の裏面側に第２面ファスナー５４が設けられ、他方の連結帯体３８の突出端側の表面側に第３面ファスナー５９が設けられ、中間連結体３９の裏面側に、第４面ファスナー６０が設けられているが、これに代え、他方の連結帯体３８の突出端側の表面側に第１面ファスナー５３を設け、一方の連結帯体３７の裏面側に第２面ファスナー５４を設け、一方の連結帯体３７の突出端側の表面側に第３面ファスナー５９を設け、中間連結体３９の裏面側に第４面ファスナー６０を設けるようにしてもよいことは勿論である。
【００４０】
また、第１実施形態〜第３実施形態の場合及び第５実施形態〜第６実施形態の場合、支持脚１０が開口窓１５を有するか否かに拘わらず、中間連結体３９を省略して、装着部材
４を左右の連結帯体３７，３８で構成するようにしてもよい。
また、前記実施形態では、クッション本体３を背もたれ部７及び支持脚１０の前面側に保持すべく支持脚１０又は背もたれ部７に装着される装着部材４は、左右の連結帯体３７，３８と中間連結体３９とで構成され又は左右の連結帯体３７，３８で構成されているが、装着部材４はこのようなものに限定されず、例えば装着部材４をクッション本体３に突設した左右一対の紐部材により構成し、紐部材を支持脚１０に括り付けてクッション本体３を背もたれ部７及び支持脚１０の前面側に保持するようにしてもよい。また、装着部材４をクッション本体３に突設した左右一対のリング状の弾性バンドにより構成し、この一対の弾性バンドを固定具２８に外嵌して引っ掛けることによりクッション本体３を背もたれ部７及び支持脚１０の前面側に保持するようにしてもよい。
【符号の説明】
【００４１】
１      髪巻き込み防止クッション
３      クッション本体
４      装着部材
６      座席本体
７      背もたれ部
９      ヘッドレスト
１０    支持脚
１１    幼児座席
２８    固定具
３７    連結帯体
３８    連結帯体
３９    中間連結体
４３    長孔
４４    長孔
４５    ボタン
４７    長孔
５３    第１面ファスナー
５４    第２面ファスナー
５９    第３面ファスナー
６０    第４面ファスナー
【図２】
0005669772.tif 000002
【図４】
0005669772.tif 000003
【図５】
0005669772.tif 000004
【図６】
0005669772.tif 000005
【図７】
0005669772.tif 000006
【図８】
0005669772.tif 000007
【図９】
0005669772.tif 000008
【図１０】
0005669772.tif 000009
【図１１】
0005669772.tif 000010
【図１２】
0005669772.tif 000011
【図１３】
0005669772.tif 000012
【図１４】
0005669772.tif 000013
【図１６】
0005669772.tif 000014
【図１７】
0005669772.tif 000015
【図１８】
0005669772.tif 000016
【図１９】
0005669772.tif 000017
【図１】
0005669772.tif 000018
【図３】
0005669772.tif 000019
【図１５】
0005669772.tif 000020